(57)【要約】【課題】自動販売機において、容易かつ確実に部品を取り付ける。【解決手段】パネル板２０と部品２１とを相互に摺動させることで係止爪２１１の弾性力によってパネル板２０および部品２１の両者を圧接し、さらに、係止突起２１２が係止孔２０２に落ち込んで係止することで両者を圧接させた状態で相互の移動を規制する。この結果、パネル板２０に部品２１を取り付けるときにネジなどを用いることなく容易に取り付けられる。さらに、振動などによって緩みを生じることがないので取り付けた状態を維持して確実に取り付けることができる。また、被覆部２１３によって摺動軌跡の傷を覆い隠すので、取り付けた状態の見栄えを損なうことがない。【選択図】        図２
2006023928.tif 000002
【特許請求の範囲】
【請求項１】
一方の部材と他方の部材とを相互に摺動させることによって弾性力で両者を相互に圧接させる移動圧接手段と、
両者を圧接させた状態で相互の移動を規制する規制手段と
を備えたことを特徴とする自動販売機の部品取付構造。
【請求項２】
摺動軌跡を覆う被覆部を設けたことを特徴とする請求項１に記載の自動販売機の部品取付構造。
【請求項３】
前記被覆部は、一方の部材もしくは他方の部材の何れかに一体に設けてあることを特徴とする請求項２に記載の自動販売機の部品取付構造。
【発明の詳細な説明】
【技術分野】
【０００１】
本発明は、自動販売機において各種部品を取り付ける自動販売機の部品取付構造に関するものである。
【背景技術】
【０００２】
従来、自動販売機においてディスプレイ室には、商品見本を展示する展示台や蛍光灯などを取り付けるための部品が取り付けてある。部品はネジによって中扉に取り付けてある（例えば、特許文献１参照）。
【０００３】
【特許文献１】特開平９−２９３１６７号公報
【発明の開示】
【発明が解決しようとする課題】
【０００４】
しかしながら、従来の自動販売機の部品取付構造では、部品をネジで止めているため取付作業に手間がかかる。またネジは、自動販売機の振動などによって緩むことがある。
【０００５】
本発明は、上記実情に鑑みて、容易かつ確実に部品を取り付けることができる自動販売機の部品取付構造を提供することを目的とする。
【課題を解決するための手段】
【０００６】
上記の目的を達成するために、本発明の請求項１に係る自動販売機の部品取付構造は、一方の部材と他方の部材とを相互に摺動させることによって弾性力で両者を相互に圧接させる移動圧接手段と、両者を圧接させた状態で相互の移動を規制する規制手段とを備えたことを特徴とする。
【０００７】
本発明の請求項２に係る自動販売機の部品取付構造は、上記請求項１において、摺動軌跡を覆う被覆部を設けたことを特徴とする。
【０００８】
本発明の請求項３に係る自動販売機の部品取付構造は、上記請求項２において、前記被覆部は、一方の部材もしくは他方の部材の何れかに一体に設けてあることを特徴とする。
【発明の効果】
【０００９】
本発明に係る自動販売機の部品取付構造は、一方の部材と他方の部材とを相互に摺動させることで弾性力によって両者が圧接し、さらに、圧接状態で両者の移動を規制している。この結果、一方の部材と他方の部材とを互いに取り付けるときにネジなどを用いることなく容易に取り付けることができる。さらに、振動などによって緩みを生じることがないので取り付けた状態を維持して確実に取り付けることができる。
【００１０】
また、摺動軌跡を覆う被覆部を設けたことにより、摺動によって生じた傷を覆い隠すことができる。この被覆部を一方の部材もしくは他方の部材の何れかに一体に設けてあれば、一方の部材と他方の部材とを互いに取り付けるだけで摺動によって生じた傷を覆い隠すことができる。
【発明を実施するための最良の形態】
【００１１】
以下に添付図面を参照して、本発明に係る自動販売機の部品取付構造の好適な実施例を詳細に説明する。なお、この実施例によりこの発明が限定されるものではない。
【実施例】
【００１２】
図１は本発明に係る部品取付構造を備える自動販売機の斜視図である。図１に示すように、自動販売機は、本体キャビネット１と外扉２とから主に構成してある。本体キャビネット１は、前面が開放した断熱筐体として形成してある。本体キャビネット１の開放部分は、断熱性の内扉３によって開閉可能としてある。また、図には明示しないが本体キャビネット１の庫内は、断熱性の仕切壁により左右に複数の商品収納室として区分してある。各商品収納室には、例えば、缶、瓶、ペットボトルなどの商品を収納した商品ラックが設けてある。また、各商品収納室の下部には、当該各商品収納室を冷却もしくは加熱して商品ラックに収納した商品を冷蔵・温蔵状態に保存する冷却／加熱ユニットが備えてある。
【００１３】
外扉２は、本体キャビネット１の前面に開閉可能に取り付けてある。外扉２の上部域には、前面が透明板４で覆われたディスプレイ室５が形成してある。また、外扉２の後面には、ディスプレイ室５を開閉可能とする中扉６が形成してある。中扉６の前面であってディスプレイ室５の内側となる部位には、商品表示装置を構成するディスプレイ台７が取り付けてある。ディスプレイ台７は、本体キャビネット１の庫内に収納した商品に対応した複数（本実施例では１２個）の商品見本７ａを左右に一列に並べて載置してある。ディスプレイ台７は、外扉２を中扉６と一体にして、本体キャビネット１に対して閉じた際に、自動販売機の前面から商品見本７ａとともに透明板４を介して透視できる。なお、図１に示すように、本実施例でのディスプレイ台７は、上下方向に複数段（本実施例では３段）設けてある。さらに、中扉６の前面であってディスプレイ室５の内側となる部位には、ディスプレイ室５の内部を照明する照明体（例えば蛍光灯など）８ａを配置する固定部８が取り付けてある。なお、照明体８ａは、ディスプレイ台７の内部にも配置してある。
【００１４】
透明板４には、各ディスプレイ台７の下方となる位置に商品選択ボタンユニット９が設けてある。商品選択ボタンユニット９は、外扉２の前面に表出し、ディスプレイ台７にある各商品見本７ａに対応して左右に一列に並べて設けた商品選択ボタン（図示せず）を有している。なお、商品選択ボタンユニット９の下側のディスプレイ室５には、商品広告部１０がある。その他外扉２の前面には、硬貨投入部１１ａの投入口、紙幣投入部１１ｂの投入口、釣銭返却部１１ｃの返却口、商品取出部１１ｄの取出口などや、図示しないが金銭返却レバーおよびロック付ハンドルなど周知の構成が設けてある。
【００１５】
図２は本発明に係る部品取付構造を示す概略図である。図２に示すように本発明に係る部品取付構造は、例えばディスプレイ室５の内側となる中扉６のパネル板（一方の部材）２０に対して、ディスプレイ台７あるいは固定部８を支持する部品（他方の部材）２１を取り付けるための構造である。
【００１６】
部品２１は、弾性を有した板金からなる。図２（ａ）に示すように、部品２１の板面２１ａには、移動圧接手段としての係止爪２１１が設けてある。係止爪２１１は、部品２１の板金を切り欠いて設けてあり、部品２１の板面２１ａから突出する基部２１１ａと、基部２１１ａから板面２１ａに沿う所定方向に向けて折曲した係止片２１１ｂとを有している。係止片２１１ｂの先端には、部品２１の板面２１ａから離れるように拡開して形成してある。この係止爪２１１は、係止片２１１ｂを同方向に向けて少なくとも２つ設けてある。さらに、部品２１の板面２１ａには、規制手段としての係止突起２１２が設けてある。係止突起２１２は、部品２１の板面２１ａから突出して設けてある。この係止突起２１２は、２つの係止爪２１１の間であって、好ましくは２つの係止爪２１１の中央位置に設けてある。また、部品２１において、係止爪２１１の係止片２１１ｂが向く方向に相反する端部には、係止爪２１１および係止突起２１２を設けた板面２１ａの向く方向から離れるように拡開して折曲延在した被覆部２１３が設けてある。この被覆部２１３は、延在方向の長さＬ１が、挿通孔２０１の同方向の長さＬ２に対して同じあるいはそれ以上の長さに形成してある。
【００１７】
一方、図２（ａ）に示すようにパネル板２０には、係止爪２１１を挿通する挿通孔２０１が設けてある。また、パネル板２０には、係止突起２１２が係止する係止孔２０２が設けてある。
【００１８】
パネル板２０に対して部品２１を取り付ける際には、図２（ｂ）に示すようにパネル板２０の板面２０ａに部品２１の板面２１ａを対面させ、互いに近づけて挿通孔２０１に係止爪２１１を挿入する。このとき、係止突起２１２は、係止孔２０２にまだ係止しておらず、パネル板２０の板面２０ａに当接している。
【００１９】
続いて、図２（ｃ）に示すように係止爪２１１の係止片２１１ｂが向く方向に部品２１を移動させる。すると、係止片２１１ｂの拡開した先端によって係止片２１１ｂが挿通孔２０１を抜けて当該挿通孔２０１の縁部に乗り上がる。このため、係止爪２１１に弾性力が生じて、部品２１の板面２１ａとパネル板２０の板面２０ａとを互いに近づくように付勢することになる。このとき、係止突起２１２は、係止孔２０２にまだ係止しておらず、パネル板２０の板面２０ａに当接している。また、部品２１において係止突起２１２を設けた部分は、係止爪２１１が生じた弾性力に抗して撓んでいる。
【００２０】
続いて、図２（ｄ）に示すように係止爪２１１の係止片２１１ｂが向く方向に部品２１をさらに移動させる。すなわち、係止片２１１ｂが生じる弾性力によって互いが近づく方向に付勢されたパネル板２０と部品２１とを相互に摺動させる。このため、弾性力でパネル板２０および部品２１の両者が相互に圧接されることになる。このとき、係止突起２１２が係止孔２０２に落ち込んで係止し、部品２１において係止突起２１２を設けた部分の撓みが解消される。この結果、両者を圧接させた状態で相互の移動が規制される。
【００２１】
また、パネル板２０と部品２１とを相互に摺動させるとき、パネル板２０の板面２０ａには、部品２１の板面２１ａの摺動軌跡に沿って傷が生じることになる。部品２１に設けた被覆部２１３は、上述したように板面２１ａの向く方向から離れるように拡開して折曲延在してある。このため、パネル板２０の板面２０ａから離間して傷を生じない。さらに、被覆部２１３は、長さＬ１が、挿通孔２０１の長さＬ２に対して同じまたはそれ以上に形成してある。このため、図２（ｂ）に示すようにパネル板２０の板面２０ａに部品２１の板面２１ａが接触した位置から、図２（ｄ）に示すようにパネル板２０と部品２１とを相互に摺動した位置までの間において、被覆部２１３の基端２１３ａの移動長さＬ３で摺動軌跡に沿って傷が生じるが、被覆部２１３が摺動軌跡を覆うので、傷が部品２１側から見えなくなる。
【００２２】
このように、上述した部品取付構造によれば、パネル板２０と部品２１とを相互に摺動させることで係止爪２１１の弾性力によってパネル板２０および部品２１の両者が圧接し、さらに、係止突起２１２が係止孔２０２に落ち込んで係止することで両者を圧接させた状態で相互の移動を規制している。この結果、パネル板２０に部品２１を取り付けるときにネジなどを用いることなく容易に取り付けることが可能になる。さらに、振動などによって緩みを生じることがないので取り付けた状態を維持して確実に取り付けることが可能になる。また、被覆部２１３によって摺動軌跡の傷を覆い隠すので、取り付けた状態の見栄えを損なうことがない。
【００２３】
なお、上述した実施例では、部品２１に係止爪２１１を設け、パネル板２０に挿通孔２０１を設けているが、部品２１に挿通孔を設け、パネル板２０に弾性を有する係止爪を設けてもよい。また、上述した実施例では、部品２１に係止突起２１２を設け、パネル板２０に係止孔２０２設けているが、部品２１に係止孔を設け、パネル板２０に係止突起を設けてもよい。さらに、上述した実施例では、被覆部２１３を部品２１に設けているが、この被覆部２１３は、摺動軌跡を覆う作用を有していればよいので、パネル板２０に設けたり、その他パネル板２０や部品２１とは別体に設けてもよい。
【図面の簡単な説明】
【００２４】
【図１】本発明に係る部品取付構造を備える自動販売機の斜視図である。
【図２】本発明に係る部品取付構造を示す概略図である。
【符号の説明】
【００２５】
１    本体キャビネット
２    外扉
３    内扉
４    透明板
５    ディスプレイ室
６    中扉
７    ディスプレイ台
７ａ    商品見本
８    固定部
８ａ    照明体
９    商品選択ボタンユニット
１０    商品広告部
１１ａ    硬貨投入部
１１ｂ    紙幣投入部
１１ｃ    釣銭返却部
１１ｄ    商品取出部
２０    パネル板
２０ａ    板面
２０１    挿通孔
２０２    係止孔
２１    部品
２１ａ    板面
２１１    係止爪
２１１ａ    基部
２１１ｂ    係止片
２１２    係止突起
２１３    被覆部
２１３ａ    基端
【図１】
2006023928.tif 000003
【図２】
2006023928.tif 000004